(57)【要約】【目的】吸水力に優れ、且つ、拭き取り作業がしやすい動物用タオルを提供すること。【解決手段】動物用タオル１０は、吸水性繊維からなる起毛部を備えたタオル本体１２と、タオル本体１２の裏側に両端が固定され、中央部が貫通した複数の第一のベルト部１４ａ，１４ｂと、タオル本体１２の周縁部に対向して形成された、両端が固定され、中央部が貫通した複数の第二のベルト部１６ａ，１６ｂとを備える。複数の第一のベルト部１４ａ，１４ｂは、貫通方向と略垂直方向に所定間隔離間して形成され、起毛部１８はマイクロファイバーからなり、光触媒加工が施されている。【選択図】図２
0003164896.tif 000002
【実用新案登録請求の範囲】
【請求項１】
吸水性繊維からなる起毛部を備えたタオル本体と、
前記タオル本体の裏側に両端が固定され、中央部が貫通した複数の第一のベルト部と、
前記タオル本体の周縁部に対向して形成された、両端が固定され、中央部が貫通した複数の第二のベルト部とを備えたことを特徴とする動物用タオル。
【請求項２】
前記複数の第一のベルト部は貫通方向と略垂直方向に所定間隔離間して形成されていることを特徴とする請求項１に記載の動物用タオル。
【請求項３】
前記起毛部は吸水材を配合したマイクロファイバーからなり、光触媒加工が施されていることを特徴とする請求項１又は２に記載の動物用タオル。
【考案の詳細な説明】
【技術分野】
【０００１】
本考案は、動物用タオルに関し、更に詳しくは、吸水力に優れ、且つ、拭き取り作業がしやすい動物用タオルに関する。
【背景技術】
【０００２】
近年、犬猫等の小動物は室内で飼育することが多い。従って、シャンプーや雨天時の散歩等で付着した水分・泥等を拭き取るためのアイデアが種々提案されている。
例えば、特許文献１に開示されたペット用タオルは、猫・犬等のペットの毛に付着した水分の拭取りを十分にかつ容易に行うことができる使い捨てのものである。このペット用タオルは、紙・パルプおよび吸水ポリマーから選ばれる少なくとも１種からなる吸収体を、該吸収体の一面に配設した表面材と、他面に配設する裏面材とで被包してなるものである。
【０００３】
また、特許文献２に開示されたペット用タオルは、ペットが毛に付着した水分を振り払おうとして身体を動かしても、水分が周囲に飛散することなくタオルに吸収させることができるとともに、効率よく、楽に水分の拭き取り作業を行なうことができるものを提供することを目的としている。このペット用タオルは、猫や犬等のペットを粗拭きする粗拭き室、仕上げ拭きする仕上げ室、乾燥させる乾燥室と順次なるようにタオル素材で筒状に形成したタオル本体と、このタオル本体の入口部を開閉する入口部開閉具と、前記タオル本体の粗拭き室と仕上げ室とを開閉する第１の紐と、前記タオル本体の仕上げ拭き室と乾燥室とを開閉する第２の紐と、前記タオル本体の出口部をペットの頭を外に出した状態で開閉する出口開閉具と、前記タオル本体の乾燥室内にドライヤーの先端部を挿入するドライヤー挿入孔とを備えたものである。
【０００４】
【特許文献１】特開平１０−２９５５８１
【特許文献２】特開平０８−３３１９９３
【考案の開示】
【考案が解決しようとする課題】
【０００５】
しかしながら、特許文献１に開示のペット用タオルは、使用者の手を通すベルト等が設けられていないため、動くペットを抑えながら拭き取るという作業がしにくいという問題がある。
【０００６】
また、特許文献２に開示のペット用タオルは、粗拭き室、仕上げ室、乾燥室に分けられているが、ペットが暴れないようにして粗拭き室、仕上げ室、乾燥室に順次移動させることは困難であるという問題がある。
【０００７】
本考案は、上記事情に鑑みてなされたものであり、吸水力に優れ、且つ、拭き取り作業がしやすい動物用タオルを提供することを目的とする。
【課題を解決するための手段】
【０００８】
上記課題を解決するために、本考案に係る動物用タオルは、
吸水性繊維からなる起毛部を備えたタオル本体と、
前記タオル本体の裏側に両端が固定され、中央部が貫通した複数の第一のベルト部と、
前記タオル本体の周縁部に対向して形成された、両端が固定され、中央部が貫通した複数の第二のベルト部とを備えたことを要旨とする。
【０００９】
この場合に、前記複数の第一のベルト部は貫通方向と略垂直方向に所定間隔離間して形成されていることが好ましい。
【００１０】
この場合に、前記起毛部は吸水材を配合したマイクロファイバーからなり、光触媒加工が施されていることが望ましい。
【考案の効果】
【００１１】
上記課題を解決するために、本考案に係る動物用タオルは、タオル本体が吸水性繊維からなる起毛部を備えるため、吸水力に優れているという効果がある。前記起毛部を吸水材を配合したマイクロファイバーから構成し、光触媒加工を施すとより優れた吸水力及び消臭力・抗菌力が得られるという効果がある。
また、本考案に係る動物用タオルは、前記タオル本体の裏側に両端が固定され、中央部が貫通した複数の第一のベルト部と、前記タオル本体の周縁部に対向して形成された、両端が固定され、中央部が貫通した複数の第二のベルト部とを備えるため、ベルト部に片手ずつ挿入し、動物が動くのを抑えながらその体に付着した水分を拭き取ることができるため、拭き取り作業がしやすいという効果がある。前記複数の第一のベルト部が貫通方向と略垂直方向に所定間隔離間して形成されていれば、効果的に動物が動かないようにその体を押さえることができるのでより拭き取り作業がしやすいという効果がある。
【図面の簡単な説明】
【００１２】
【図１】本考案の一実施形態に係る動物用タオル１０の表側斜視図である。
【図２】本考案の一実施形態に係る動物用タオル１０の裏側斜視図である。
【符号の説明】
【００１３】
１０  動物用タオル
１２  タオル本体
１４ａ，１４ｂ  第一のベルト部
１６ａ，１６ｂ  第二のベルト部
１８  起毛部
【考案を実施するための形態】
【００１４】
以下に図面を参照して本考案の一実施形態に係る動物用タオル１０について説明する。図１及び図２は、それぞれ、本実施形態に係る動物用タオル１０の表側斜視図、裏側斜視図である。これらの図に示したように、動物用タオル１０は、タオル本体１２と、第一のベルト部１４ａ，１４ｂと、第二のベルト部１６ａ，１６ｂを備える。
【００１５】
タオル本体１２は、その表側一面にわたって形成される吸水性繊維からなる起毛部１８，１８…を備える（図１では起毛部１８，１８…の中央部分は省略している）。起毛部１８，１８…は、吸水材を配合したマイクロファイバーからなり、直径２ｍｍ〜１０ｍｍ程度で高さ５ｍｍ〜３０ｍｍ程度の円柱状の形状である。そのため、肌触りが良く吸水力に優れる。従って、軽い力で動物の体を押さえることで拭き取りができる。
【００１６】
また、起毛部１８，１８…は、光触媒加工が施されている。そのため、悪臭（アンモニア・酢酸・トリメチルアミン・トリメチルメルカプタン）等が二酸化チタンの触媒作用により分解されるとともに（消臭作用）、細菌・カビ等が分解される（抗菌作用）。光触媒効果が薄れた場合には、別途光触媒スプレーにより消臭作用・抗菌作用を持続させることができる。
【００１７】
更に、タオル本体１２は、その裏側に第一のベルト部１４ａ，１４ｂが形成される。第一のベルト部１４ａ，１４ｂは、タオル本体１２の裏側に両端が固定され、中央部が貫通した複数のベルトからなる。従って、使用者は、第一のベルト部１４ａ，１４ｂの各貫通部分に右手・左手を挿入して動物用タオル１０を動物の体（腹、背中、顔、足、尻尾等）に当てて拭き取れば、動物用タオル１０が手から外れることを心配することなく作業を行うことができる。従って、拭き取り作業がしやすい。複数の第一のベルト部１４ａ，１４ｂは、貫通方向と略垂直方向に所定間隔離間して形成されることが望ましい。離間する所定間隔は、対象とする動物に応じて適宜最適な間隔を採用しうるが、胴体周囲の１／４以上の間隔が確保されていれることが望ましい。
【００１８】
また、タオル本体１２は、その周縁部に第二のベルト部１６ａ，１６ｂが形成される。第二のベルト部１６ａ，１６ｂは、前記タオル本体の周縁部に対向して形成された、両端が固定され、中央部が貫通した複数のベルトからなる。従って、使用者は、動物用タオル１０を動物の腹側に通し、第二のベルト部１６ａ，１６ｂを右手・左手で把持すれば、通常のタオル等では届きにくい動物の腹を簡単に拭き取ることができる。従って、拭き取り作業がしやすい。
【００１９】
タオル本体１２は、例えば、大型犬用（及びこれと同等の大きさの動物用）で７５０ｍｍ×３００ｍｍの大きさが採用され、中・小型犬用（及びこれと同等の大きさの動物用）で５００ｍｍ×２５０ｍｍの大きさが採用されるがこれに限定されない。
【００２０】
以上本考案の一実施形態について説明したが、本考案は上記実施の形態に限定されるものではない。また、動物は特に限定されるものではなく、一般的な犬猫はもとより、家畜その他のあらゆる動物が含まれる。
【産業上の利用可能性】
【００２１】
本考案に係る動物用タオルは、シャンプー後や雨天時の散歩等の後の動物の濡れた体を拭き取るのに便利であるため、ペット関連産業において需要が見込まれる。
【図１】
0003164896.tif 000003
【図２】
0003164896.tif 000004